(57)【特許請求の範囲】
【請求項１】
住戸番号を指定するテンキーと特殊キーと呼出釦とを具備する集合玄関機と、この集合玄関機からの呼出時に呼出音を出力するインターホン親機と、このインターホン親機と集合玄関機との通話を制御する制御装置とからなるインターホンシステムにおいて、
上記制御装置は、上記集合玄関機からの呼出時に上記特殊キーが操作されたことを検出し、上記集合玄関機からの呼出時に上記特殊キーが操作されると、特殊キー操作信号を出力する特殊キー操作検出手段を有し、
上記インターホン親機は、上記特殊キー操作信号を受信すると、通常の呼出音とは異なる第２の呼出音を出力する第２の呼び出音出力手段を有することを特徴とするインターホンシステム。
【請求項２】
住戸番号を指定するテンキーと特殊キーと呼出釦とを具備する集合玄関機と、この集合玄関機からの呼出時に呼出音を出力するインターホン親機と、このインターホン親機と集合玄関機との通話を制御する制御装置とからなるインターホンシステムにおいて、
上記集合玄関機からの呼出時に上記特殊キーが操作されたことを検出する特殊キー操作検出手段と；
上記特殊キーを操作したことを、上記特殊キー操作検出手段が検出すると、通常の呼出音とは異なる第２の呼出音を出力する第２の呼び出音出力手段と；
を上記インターホン親機が有することを特徴とするインターホンシステム。
【請求項３】
請求項１または請求項２において、
上記特殊キーは、♯キーまたは＊キーであることを特徴とするインターホンシステム。
【発明の詳細な説明】
【技術分野】
【０００１】
本発明は、インターホンシステムに関する。
【背景技術】
【０００２】
従来、マンション等の集合住宅や戸建の住宅には、インターホンが設けられている。たとえば、集合住宅では、集合玄関に、集合玄関機が設けられ、居室には、インターホン親機が設けられ、上記集合玄関と上記居室内との間で、インターホンによって通話できる。
【０００３】
また、戸建の住宅では、玄関外に、ドアホンが設けられ、住居内に、インターホン親機が設けられ、玄関外と住居内との間で、インターホンによって通話できる。
【０００４】
集合玄関機やドアホンから呼出があると、家族による呼出であるのか、押し売り等の訪問者による呼出であるのかを識別できるように、家族による呼出と、訪問者による呼出との間で、呼出音を変えるインターホンが知られている（たとえば、参考文献１、２参照）。
【特許文献１】特開平３−１０１５６２号公報
【特許文献２】実開平６−４８２６９号公報
【発明の開示】
【発明が解決しようとする課題】
【０００５】
上記従来のインターホンでは、通常の呼出釦とは別に、家族等が専用で使用する隠し呼出釦を備えている。
【０００６】
この従来のインターホンでは、家族等が専用で使用する隠し呼出釦を別途設ける必要があるので、そのための部品点数が増加するという問題がある。
【０００７】
また、上記従来例では、家族だけが使用できるように、上記隠し呼出釦が目立たない位置に配置されているが、家族以外のものが操作する可能性があるという問題がある。
【０００８】
本発明は、呼出釦を具備する玄関機と、この玄関機からの呼出時に呼出音を出力するインターホン親機とからなり、家族による呼出と、訪問者による呼出との間で、呼出音を変えることができるインターホンにおいて、隠し呼出釦のように部品点数を増加させる必要がないインターホンを提供することを目的とするものである。
【課題を解決するための手段】
【０００９】
本発明は、住戸番号を指定するテンキーと特殊キーと呼出釦とを具備する集合玄関機と、この集合玄関機からの呼出時に呼出音を出力するインターホン親機と、このインターホン親機と集合玄関機との通話を制御する制御装置とからなるインターホンシステムにおいて、  上記制御装置は、上記集合玄関機からの呼出時に上記特殊キーが操作されたことを検出し、上記集合玄関機からの呼出時に上記特殊キーが操作されると、特殊キー操作信号を出力する特殊キー操作検出手段を有し、上記インターホン親機は、上記特殊キー操作信号を受信すると、通常の呼出音とは異なる第２の呼出音を出力する第２の呼び出音出力手段を有することを特徴とするインターホンシステムである。
【発明の効果】
【００１０】
本発明によれば、呼出釦を具備する玄関機と、この玄関機からの呼出時に呼出音を出力するインターホン親機とからなり、家族による呼出と、訪問者による呼出との間で、呼出音を変えることができるインターホンにおいて、隠し呼出釦のように部品点数を増加させる必要がないという効果を奏する。
【発明を実施するための最良の形態】
【００１１】
発明を実施するための最良の形態は、以下の実施例である。
【実施例１】
【００１２】
図１は、本発明の実施例１であるインターホンシステム１００を示すブロック図である。
【００１３】
インターホンシステム１００は、玄関機１０と、インターホン親機２０と、通話線Ｌ１とを有する。
【００１４】
玄関機１０は、呼出釦１１と、呼出回路１２と、通話回路１３と、マイクＭＣ１と、スピーカＳＰ１とを有する。
【００１５】
インターホン親機２０は、制御部２１と、呼出検出回路２２と、呼出音発生部２３と、タイマ２４と、操作部２５と、通話回路２６と、スピーカＳＰ２と、マイクＭＣ２と、スイッチＳＷ１とを有する。
【００１６】
制御部２１は、インターホン親機２０の全体を制御する。呼出検出回路２２は、玄関機１０の呼出釦１１が操作されていることを検出する回路である。
【００１７】
呼出音発生部２３は、複数種類の呼出音を出力する呼出音発生部の例であり、「ピンポーン」、「ピィ、ピィ、ピィ」という音を発生する。通常は（家族以外の訪問者が呼出釦１１を押すと）、「ピンポーン」という音を発生する。
【００１８】
タイマ２４は、玄関機１０の呼出釦１１が操作されている時間である操作時間を計測する。
【００１９】
制御部２１は、タイマ２４が計測した時間に応じて、呼出音発生部２３が発生する呼出音を変化させる呼出音変化手段の例であり、タイマ２４が呼出時間を少しでも計測すると、「ピンポーン」という音に対応する信号を呼出音発生部２３に発生させ、タイマ２４が呼出時間としてたとえば１．５秒以上を計測すると、「ピィ、ピィ、ピィ」という音に対応する信号を呼出音発生部２３に発生させる。
【００２０】
操作部２５は、呼出音発生部２３の制御によって、スピーカＳＰ２から、「ピンポーン」または「ピィ、ピィ、ピィ」という音が発生されたときに、操作することによって、スイッチＳＷ１が、端子ａから端子ｂに切り替わり、通話回路２６、スピーカＳＰ２、マイクＭＣ２を使用して、玄関機１０側の人と通話することができる。
【００２１】
次に、インターホンシステム１００の動作について説明する。
【００２２】
まず、玄関機１０の呼出釦１１を、家族が押す場合、１．５秒以上継続して押すことが、家族の間で約束されていたとする。
【００２３】
ここで、玄関機１０の呼出釦１１を押すと、玄関機１０とインターホン親機２０とを接続している信号線Ｌ１の電圧が、たとえば５Ｖから１Ｖに低下する。この電圧の低下を、呼出検出回路２２が検出すると、呼出音発生部２３を介して、スピーカＳＰ２が「ピンポーン」という呼出音を出力する。
【００２４】
呼出検出回路２２が、通話線Ｌ１の電圧の低下を検出してから、制御部２１が、タイマ２４を起動し、呼出釦１１の操作時間を計測する。ここで、宅配便等の業者等、家族以外の人は、通常、呼出釦１１を一瞬だけ押す。これによって、通話線Ｌ１の電圧が低下している時間は、一瞬であり、タイマ２４は直ぐにその計測を停止する。
【００２５】
図２は、実施例１における動作を示すタイムチャートである。
【００２６】
呼出釦１１が押されると、図２（１）に示すように、スピーカＳＰ２からは、「ピンポーン」という呼出音が出力される。
【００２７】
一方、家族等の居住者が呼出釦１１を押す場合、長押し操作する。たとえば、１．５秒間以上、継続して呼出釦１１を押す。これによって、通話線Ｌ１の電圧が低下している時間をタイマ２４が計測し、この計測値が、１．５秒間以上であれば、この１．５秒間後に、図２（２）に示すように、呼出音発生部２３を介して、スピーカＳＰ２が、「ピッピッピッ」と呼出音を出力する。
【００２８】
このように、呼出釦１１が長押し操作されると、「ピンポーン」に続いて、「ピッピッピッ」という呼出音がスピーカＳＰ２から出力されるので、インターホン親機２０で応答する人は、玄関機１０を操作した人が家族であることを認識することができる。
【００２９】
実施例１では、呼出釦を具備する玄関機と、この玄関機からの呼出時に呼出音を出力するインターホン親機とからなり、家族による呼出と、訪問者による呼出との間で、呼出音を変えることができるインターホンシステムにおいて、隠し呼出釦のように部品点数を増加させる必要がない。
【００３０】
実施例１では、呼出釦の操作時間に応じて、呼出音を変化させるが、呼出音を３種類以上にしてもよい。また、呼出釦を操作した時間を無段階で計測し、この計測された操作時間の長さに応じて、異なる呼出音を出力するようにしてもよい。つまり、呼出釦の操作時間に応じて、たとえば呼出音のデューティ比を変化させ、操作時間が長い程、「ピッピッピッ」の「ピッ」同士の間隔を長くして、呼出音を出力するようにしてもよい。
【００３１】
また、実施例１では、家族が帰宅した場合、「ピンポーン」の後に「ピッピッピッ」という呼出音を出力するが、呼出釦の操作時間を検出し、この操作時間が１秒以内であれば、「ピンポーン」を出力し、操作時間が１秒以上であれば、はじめから「ピッピッピッ」という呼出音を出力するようにしてもよい。
【実施例２】
【００３２】
図３は、本発明の実施例２であるインターホンシステム２００を示すブロック図である。
【００３３】
インターホンシステム２００は、集合玄関機３０と、通話制御装置４０と、インターホン親機５０と、通話線Ｌ２とを有する。
【００３４】
集合玄関機３０は、テンキー３１と、表示部３２と、呼出釦３３と、通話部３４とを有する。
【００３５】
テンキー３１は、０〜９のキーと、♯キー、＊キーのうちの少なくとも一方とを有する。♯キー、＊キーを、特殊キーと呼ぶ。表示部３２は、テンキー３１を押したときに、押されたキーが何であるかを表示するものである。
【００３６】
呼出釦３３は、テンキー３１を使用して押した住戸番号の後に、押すと、押された住戸に対応するインターホン親機５０が呼び出される。通話部３４は、呼び出されたインターホン親機５０との間で通話するものである。なお、図３では、集合玄関機３０、インターホン親機５０において、スピーカ、マイクの図示が省略されている。
【００３７】
通話制御装置４０は、判別部４１と、信号送出部４２とを有する。
【００３８】
判別部４１は、集合玄関機３０からの呼出時に特殊キーが操作されたことを検出する手段である。信号送出部４２は、呼出時に特殊キーが操作されたことを、判別部４１が検出すると、呼出時に特殊キーが操作されたことを示す特殊キー操作信号を出力する。
【００３９】
つまり、判別部４１と、信号送出部４２とは、集合玄関機からの呼出時に特殊キーが操作されたことを検出し、上記集合玄関機からの呼出時に上記特殊キーが操作されると、特殊キー操作信号を出力する特殊キー操作検出手段の例である。
【００４０】
インターホン親機５０は、信号受信部５１と、呼出音発生部５２とを有する。
【００４１】
信号受信部５１は、特殊キー操作信号を受信する。呼出音発生部５２は、信号受信部５１が特殊キー操作信号を受信すると、通常の呼出音とは異なる第２の呼出音を出力する第２の呼び出音出力手段の例である。
【００４２】
次に、インターホンシステム２００の動作について説明する。
【００４３】
集合玄関機３０において、テンキー３１を使用して呼び出したい住戸番号を指定した後に、呼出釦１１を押すと、通話制御装置４０を介して、所望の住戸のインターホン親機５０へ図示しない制御用の信号線を介して呼出信号が送られる。インターホン親機５０では、呼出信号の受信に伴い、スピーカが呼出音（たとえば「ピンポーン」）を出力する。
【００４４】
ここで、家族が集合玄関機３０を操作する場合、テンキー３１で住戸番号を指定した後に、特殊キー（＃キーまたは＊キー）を押すという約束が成立しているとする。なお、通常の集合玄関機３０には、１〜０のテンキー３１と一緒に、特殊キー（＃キーまたは＊キー）が配列されている。
【００４５】
家族が集合玄関機３０を操作する場合、テンキー３１で住戸番号を指定した後に、特殊キー（＃キーまたは＊キー）を押してから呼出釦を押す。通話制御装置４０は、集合玄関機３０から送られてくる信号が、通常の呼出信号であるか、特殊キーが押されたときの呼出信号であるかを判別することができ、特殊キーが押されていると、インターホン親機５０に対して、特殊キーが押されていることを示す特殊キー操作信号（通常の呼出信号とは異なる家族用の呼出信号）を送出する。
【００４６】
そして、インターホン親機５０側は、特殊キー操作信号を受信すると、通常の呼出音「ピンポーン」とは異なる呼出音（たとえば「ピッピッピッ」）を出力する。
【００４７】
このように、呼出釦３３を押すときに特殊キーが押されると、通常とは異なる呼出音を出力するので、インターホン親機５０で応答する人は、集合玄関機３０を操作した人が家族であることを簡単に認識することができる。
【００４８】
実施例２によれば、家族による呼出と、訪問者による呼出との間で、呼出音を変えることができるインターホンにおいて、隠し呼出釦のように部品点数を増加させる必要がない。
【００４９】
また、住戸番号、特殊キー、呼出釦を押す場合、住戸番号、特殊キー、呼出釦の順序で押すように予め定められているとしてもよく、特殊キー、住戸番号、呼出釦の順序で押すように予め定められているとしてもよい。また、複数桁の住戸番号を押している途中で特殊キーを押し、住戸番号が全て押された後に、呼出釦を押すように、予め定められているとしてもよい。
【００５０】
さらに、住戸番号と特殊キーとを押す順番はどうでもよく、住戸番号と特殊キーとが押され、その後に、呼出釦を押せば、特殊キー操作信号が出力され、集合玄関機３０を介して操作している人が家族であると判断するようにしてもよい。
【実施例３】
【００５１】
本発明の実施例３は、実施例２において、特殊キーを操作したことを、インターホン親機５０が検出する実施例である。
【００５２】
つまり、実施例３において、インターホン親機５０は、特殊キー操作検出手段と、第２の呼出音出力手段とを有する。
【００５３】
特殊キー操作検出手段は、集合玄関機３０からの呼出時に上記特殊キーが操作されたことを検出する手段である。
【００５４】
第２の呼出音出力手段は、上記特殊キーを操作したことを、上記特殊キー操作検出手段が検出すると、通常の呼出音とは異なる第２の呼出音を出力する手段である。
【００５５】
次に、実施例３について、具体的に説明する。
【００５６】
集合玄関機３０からは、呼出時において、特殊キーの操作の有無によって、異なる呼出信号を出力する。つまり、住戸番号＋呼出釦の通常の呼出操作であれば、通常の呼出信号を出力し、住戸番号に特殊キーを加えて呼出釦を操作した場合には、家族用の呼出信号を出力する。
【００５７】
インターホン親機５０の信号受信部５１は、これらの呼出信号の違いを識別することが可能であり、それぞれの信号に応じて、呼出音発生部５２から異なる呼出音を出力する。
【００５８】
本発明の各実施例では、呼出音として、「ピンポーン」等のブザー音を例に挙げて説明したが、音声合成ＩＣを使用して音声メッセージを呼出音として出力するようにしてもよい。この場合、家族用の呼出信号を受信した際には、「家族が帰宅しました」等と音声を出力させるようにすればよい。
【図面の簡単な説明】
【００５９】
【図１】本発明の実施例１であるインターホンシステム１００を示すブロック図である。
【図２】実施例１における動作を示すタイムチャートである。
【図３】本発明の実施例２であるインターホンシステム２００を示すブロック図である。
【符号の説明】
【００６０】
１００…インターホンシステム、
１０…玄関機、
１１…呼出釦、
１２…呼出回路、
２０…インターホン親機、
２１…制御部、
２２…呼出検出回路、
２３…呼出音発生部、
２４…タイマ、
２５…操作部、
２００…インターホンシステム、
３０…集合玄関機、
３１…テンキー、
３３…呼出釦、
４０…通話制御装置、
４１…判別部、
４２…信号送出部、
５０…インターホン親機、
５１…信号受信部、
５２…呼出音発生部。
【図１】
0004651028.tif 000002
【図２】
0004651028.tif 000003
【図３】
0004651028.tif 000004